(57)【要約】【課題】厨芥の粉砕能率が高いディスポーザであって、固定刃とスイングハンマーの間に厨芥が挟まり難いディスポーザを提供する。【解決手段】破砕室の内部に固定された、環状の平面形を有する固定刃３と、固定刃３の内側に配置されて、回転駆動される回転板４と、回転板４に揺動自在に取り付けられて、回転板４の回転軸Ｒから離隔した揺動軸Ｒ１，Ｒ２を揺動中心にして、揺動するスイングハンマー６を備えるディスポーザにおいて、回転板４に固定されて、スイングハンマー６が設定された範囲を超えて揺動する場合にスイングハンマー６に当接してスイングハンマー６の揺動範囲を制限する前進角度制限器９と後退角度制限器１０を備える。【選択図】図２
2018149487.tif 000002
【特許請求の範囲】
【請求項１】
破砕室の内部に固定された、環状の平面形を有する固定刃と、
前記固定刃の内側に配置されて、回転駆動される回転板と、
前記回転板に揺動自在に取り付けられて、前記回転板の回転中心から離隔した揺動軸を揺動中心にして、揺動するスイングハンマーを備えるディスポーザにおいて、
前記回転板に固定されて、前記スイングハンマーが設定された範囲を超えて揺動する場合に前記スイングハンマーに当接して前記スイングハンマーの揺動範囲を制限する揺動角度制限器を備えることを特徴とするディスポーザ。
【請求項２】
前記揺動角度制限器は、前記回転板の回転によって前記スイングハンマーの重心に作用する遠心力が、前記スイングハンマーを前記回転板の回転方向に対して逆方向に揺動させる回転モーメントを発生させない領域内で、前記スイングハンマーの重心が移動するように、前記スイングハンマーの揺動範囲を制限することを特徴とする、
請求項１に記載のディスポーザ。
【請求項３】
前記揺動角度制限器として、
前記スイングハンマーの前記回転板の回転方向と同方向の揺動を制限する前進角度制限器を備えることを特徴とする、
請求項２に記載のディスポーザ。
【請求項４】
前記揺動角度制限器として、
前記前進角度制限器に加えて、
前記スイングハンマーの前記回転板の回転方向と逆方向の揺動を制限する後退角度制限器を備えることを特徴とする、
請求項３に記載のディスポーザ。
【請求項５】
前記回転板の前記スイングハンマーの前縁に対面する位置に固定されて、異物の前記スイングハンマーの衝突を防止するガードブロックを備える、
請求項１ないし請求項４のいずれか一項に記載のディスポーザ。
【発明の詳細な説明】
【技術分野】
【０００１】
本発明は、ディスポーザに関する。
【背景技術】
【０００２】
ディスポーザは、厨房用シンクの下に配置されて、シンクから投入される厨芥を粉砕し、水と混合して排出する装置である。ディスポーザは、シンクから投入された厨芥を粉砕する破砕室を備え、破砕室の内部には固定刃が固定されている。固定刃の内側には、ディスポーザの下部に固定された電動機によって、回転駆動される回転板が配置されている。回転板には、スイングハンマーが揺動自在に取り付けられている。スイングハンマーは、回転板の回転中心から離隔した位置にある揺動軸を揺動中心にして、揺動する（特許文献１〜３）。
【０００３】
ディスポーザの運転中、つまり回転板の回転中は、スイングハンマーは遠心力を受けて、その重心が回転円板の回転中心から遠ざかるように揺動する。そして、スイングハンマーは回転板上にある厨芥に当接して、厨芥を固定刃に押し付ける。その結果、厨芥は固定刃ですり潰されて、粉砕される。
【０００４】
特許文献３に記載のディスポーザが備えるスイングハンマーは、回転板の回転方向を正面とする場合に、スイングハンマーの背面に相当する部位において、スイングハンマーの底面を外周端まで切り欠いて、切欠部（切欠部７１１）を形成している（第０００６段落、図１〜４）。スイングハンマーにこのような切欠部を設けると、スイングハンマーの底面の回転板と対向する部位（対向面７１２）の幅が小さくなる。そのため、該部位と回転板との隙間に厨芥が入っても、容易に通り抜けることができる（第０００７段落）。その結果、スイングハンマーと回転板の間に、厨芥が詰まり難くなる。
【先行技術文献】
【特許文献】
【０００５】
【特許文献１】特開平５−２５４号公報
【特許文献２】特開平５−３１３８９号公報
【特許文献３】特開２００４−２４３２４１号公報
【発明の概要】
【発明が解決しようとする課題】
【０００６】
特許文献１〜３に記載のディスポーザは、揺動軸の回りを、３６０°自在に揺動することができる。そのため、回転板の回転によって生じる遠心力が、スイングハンマーを、回転板の回転方向に対して逆方向に揺動させる場合がある。つまり、スイングハンマーが、その重心が回転円板の回転中心から最も遠い位置にある状態から、さらに回転板の回転方向に揺動して、重心が回転円板の回転中心に近寄った位置にある場合は、回転板の回転によって生じる遠心力は、スイングハンマーを回転板の回転方向に対して逆方向に揺動させる。このような場合に、スイングハンマーが厨芥に与える反力は、厨芥の、回転板の回転方向への移動を妨げる方向に作用する。その結果、固定刃に対する厨芥の移動速度が低下するので、ディスポーザによる厨芥の粉砕能率が低下するという問題が生じる。つまり、ディスポーザにおいて、単位時間当たりの厨芥処理量が低下するという問題が生じる。
【０００７】
また、回転板の回転によって生じる遠心力が、スイングハンマーを回転板の回転方向に対して逆方向に揺動させる場合に、スイングハンマーの背面側に厨芥があると、スイングハンマーと固定刃の間に厨芥が挟まることがある。特に特許文献３に記載のディスポーザの、スイングハンマーの背面側に、鶏骨のような比較的に硬い厨芥があると、厨芥の一方端が固定刃に、他方端がスイングハンマーの切欠部に、それぞれ引っ掛かって、固定されることがある。その結果、回転板がロックすることがある。つまり、回転板の回転が停止することがある。このような場合に、固定刃とスイングハンマーの切欠部の間に挟まった厨芥を取り除くことは、困難である。このように、特許文献３に記載のディスポーザにおいては、固定刃とスイングハンマーの切欠部の間に厨芥が挟まって、回転板がロックしやすいという問題がある。
【０００８】
本発明は、このような事情に鑑みてなされたものであり、厨芥の粉砕能率が高いディスポーザであって、固定刃とスイングハンマーの間に厨芥が挟まり難いディスポーザを提供するものである。
【課題を解決するための手段】
【０００９】
上記課題を解決するため、本発明に係るディスポーザは、破砕室の内部に固定された、環状の平面形を有する固定刃と、固定刃の内側に配置されて、回転駆動される回転板と、回転板に揺動自在に取り付けられて、回転板の回転中心から離隔した揺動軸を揺動中心にして、揺動するスイングハンマーを備えるディスポーザにおいて、回転板に固定されて、スイングハンマーが設定された範囲を超えて揺動する場合にスイングハンマーに当接してスイングハンマーの揺動範囲を制限する揺動角度制限器を備えるものである。
【００１０】
揺動角度制限器は、回転板の回転によってスイングハンマーの重心に作用する遠心力が、スイングハンマーを回転板の回転方向に対して逆方向に揺動させる回転モーメントを発生させない領域内で、スイングハンマーの重心が移動するように、スイングハンマーの揺動範囲を制限するものであっても良い。
【００１１】
揺動角度制限器として、スイングハンマーの回転板の回転方向と同方向の揺動を制限する前進角度制限器を備えるようにしても良い。
【００１２】
揺動角度制限器として、前進角度制限器に加えて、スイングハンマーの回転板の回転方向と逆方向の揺動を制限する後退角度制限器を備えるようにしても良い。
【００１３】
回転板のスイングハンマーの前縁に対面する位置に固定されて、異物のスイングハンマーの衝突を防止するガードブロックを備えるようにしても良い。
【発明の効果】
【００１４】
本発明に係るディスポーザは、スイングハンマーの揺動範囲を制限する揺動角度制限器を備えるので、ディスポーザにおける厨芥の粉砕能率を向上させることができる。ディスポーザにおいて、固定刃とスイングハンマーの間に厨芥が挟まり難くすることができる。
【図面の簡単な説明】
【００１５】
【図１】本発明の実施形態に係るディスポーザの断面図である。
【図２】図１に記載のディスポーザが備える回転板とスイングハンマーの平面図である。
【図３】図１に記載のディスポーザが備えるスイングハンマーの外形図であって、（Ａ）は平面図であり、（Ｂ）は（Ａ）において矢印Ａで示す方向から見た矢視図であり、（Ｃ）は（Ａ）においてＢ−Ｂ’線で示す平面で切断した断面図である。
【図４】図１に記載のディスポーザが備える揺動角度制限器の作用を説明する平面図である。
【図５】図１に記載のディスポーザが前進角度制限器を備えることによって生じる効果を説明する説明図であり、（Ａ）は前進角度制限器によって制限される範囲を超えてスイングハンマーが揺動した状態を示す平面図であり、（Ｂ）は（Ａ）に示す状態において、遠心力が作用して、スイングハンマーが揺動した状態を示す平面図であり、（Ｃ）は前進角度制限器を備えることによって、スイングハンマーの揺動範囲が制限されることを示す平面図である。
【図６】図１に記載のディスポーザが後退角度制限器を備えることによって生じる効果を説明する説明図であり、（Ａ）は後退角度制限器によって制限される範囲を超えてスイングハンマーが揺動した状態を示す平面図であり、（Ｂ）は後退角度制限器を備えることによって、スイングハンマーの揺動範囲が制限されることを示す平面図である。
【図７】（Ａ）は、本発明の第１の変形例に係るディスポーザが備える回転板とスイングハンマーの平面図であり、（Ｂ）は回転板とスイングハンマーを（Ａ）において矢印Ｂで示す方向から見た矢視図である。
【図８】（Ａ）は、本発明の第２の変形例に係るディスポーザが備える回転板とスイングハンマーの平面図であり、（Ｂ）は回転板とスイングハンマーを（Ａ）において矢印Ｂで示す方向から見た矢視図である。
【図９】本発明の第３の変形例に係るディスポーザが備える回転板とスイングハンマーの平面図である。
【発明を実施するための形態】
【００１６】
以下、本発明を実施するための形態を、図面を参照しながら説明する。
【００１７】
（全体構成）
図１は、本発明の実施形態に係るディスポーザ１を断面図示して、その構成を説明する図である。ディスポーザ１は図示しないシンクの下方に取り付けられて、シンクから排出される厨芥（図示せず）を粉砕して水とともに排出、つまりスラリーを生成して排出する装置である。ディスポーザ１の最上部には、シンクから排出された厨芥が投入される破砕室２が配置されている。破砕室２の下部には平面形において環状をなす固定刃３が固定されている。固定刃３の内側には、平面形において円板状をなす回転板４が配置されている。回転板４は、ディスポーザ１の下部に配置された電動機５によって回転駆動されて、回転軸Ｒを回転中心にして回転する。また、回転板４には、２個のスイングハンマー６が取り付けられている。スイングハンマー６は、揺動軸Ｒ１，Ｒ２を回転中心にして揺動して、破砕室２に投入されて回転板４上に落下した厨芥を固定刃３に押し付ける。スイングハンマー６によって固定刃３に押し付けられた厨芥は破砕されて、回転板４の下方に形成された排出室７に落下する。排出室７に落下した厨芥は、水と混合されて、スラリーとなって、排出口８を通って、ディスポーザ１の外部に排出される。なお、揺動軸Ｒ１，Ｒ２は、回転軸Ｒに対して軸対称に配置されている。
【００１８】
また、回転板４の上面には、前進角度制限器９と後退角度制限器１０が固定されている。前進角度制限器９と後退角度制限器１０は、回転板４の上面に形成された突起であり、揺動軸Ｒ１，Ｒ２を回転中心にして揺動するスイングハンマー６の揺動範囲を機械的に制限する揺動角度制限器である。前進角度制限器９と後退角度制限器１０の具体的な作用については後述する。
【００１９】
図２は、図１に記載のディスポーザ１が備える回転板４とスイングハンマー６の平面図である。前述したように、揺動軸Ｒ１，Ｒ２は、回転軸Ｒに対して軸対称に配置されているので、回転軸Ｒと揺動軸Ｒ１，Ｒ２は、平面形において、同一直線上に等間隔に配置されている。また、前述したように、回転板４は電動機５（図２において図示せず）によって回転駆動されて、回転軸Ｒを回転中心にして、反時計回りに、つまり図２において、矢印Ｄで示す方向に回転する。
【００２０】
さて、以下においては、スイングハンマー６が回転板４の回転方向と同じ方向に揺動すること、つまり、スイングハンマー６が揺動軸Ｒ１又は揺動軸Ｒ２を中心にして反時計回りに揺動することを「スイングハンマー６が前進する」又は「スイングハンマー６が前進方向に回転する」と言うことにする。スイングハンマー６が回転板４の回転方向の逆方向に揺動すること、つまり、スイングハンマー６が揺動軸Ｒ１又は揺動軸Ｒ２を中心にして時計回りに揺動することを「スイングハンマー６が後退する」又は「スイングハンマー６が後退方向に回転する」と言うことにする。したがって、「スイングハンマー６が前進する」時、スイングハンマー６は、揺動軸Ｒ１又は揺動軸Ｒ２を中心にして、図２において矢印ＦＷＤで示す方向に揺動する。「スイングハンマー６が後退する」時、スイングハンマー６は揺動軸Ｒ１又は揺動軸Ｒ２を中心にして、図２において矢印ＢＷＤで示す方向に揺動する。また、スイングハンマー６が前進する時に前面になる部位を前縁６Lと呼び、後面になる部位を後縁６Tと呼ぶことにする。
【００２１】
前進角度制限器９は、図２において、スイングハンマー６が実線で描かれた位置にある時に、スイングハンマー６の前縁６Lに当接する位置に配置されている。そのため、スイングハンマー６は、図２において実線で示された位置から、前進角度制限器９を超えて、前進方向に揺動することができない。また、図２に示すように、スイングハンマー６の前縁６Lが前進角度制限器９に当接する位置にある時、スイングハンマー６の重心Ｇに作用する遠心力Ｆの作用線は、揺動軸Ｒ１，Ｒ２を通る。そのため、この時、遠心力Ｆによっては、揺動軸Ｒ１，Ｒ２を回転中心にして、スイングハンマー６を揺動させる回転モーメントは発生しない。つまり、図２において、スイングハンマー６が実線で描かれた位置にある時に、スイングハンマー６は、遠心力Ｆによっては、揺動しない。
【００２２】
また、後退角度制限器１０は、図２において、スイングハンマー６が一点鎖線で描かれた位置にある時に、スイングハンマー６の後縁６Tに当接する位置に配置されている。そのため、スイングハンマー６は、図２において一点鎖線で示された位置から、後退角度制限器１０を超えて、後退方向に揺動することができない。このように、前進角度制限器９と後退角度制限器１０は、スイングハンマー６の揺動軸Ｒ１，Ｒ２回りの揺動範囲を機械的に制限する揺動角度制限器として機能する。
【００２３】
図３は、スイングハンマー６の詳細な構造を示す説明図である。図３（Ａ）はスイングハンマー６の平面図であり、図３（Ｂ）はスイングハンマー６を図３（Ａ）において矢印Ａで示す方向から見た矢視図であり、図３（Ｃ）はスイングハンマー６を図３（Ａ）においてＢ−Ｂ’線で示す平面で切断した断面図である。図３（Ａ）〜（Ｃ）に示すように、スイングハンマー６の底面６Ｂは、回転板４の回転方向と反対側、つまり後縁６Ｔ側が外周端まで切り欠かれていて、切欠部６Ｃが形成されている。このように、スイングハンマー６は、回転板４の回転方向に対して反対側にある部位において、底面を外周端まで切り欠いた切欠部６Ｃが形成されているので、スイングハンマー６の下面の回転板４と対向する部位、つまり底面６Ｂの幅を小さくすることができる。そのため、底面６Ｂと回転板４との間の隙間に厨芥が入っても、容易に通り抜けることができる。その結果、スイングハンマー６と回転板４の間に、厨芥が詰まり難くなる。
【００２４】
（揺動角度制限器の作用）
次に図４を参照して、揺動角度制限器、つまり前進角度制限器９と後退角度制限器１０の具体的な作用を説明する。
【００２５】
スイングハンマー６の重心Ｇが、回転軸Ｒと揺動軸Ｒ２を結ぶ直線より上方の領域、つまり、図４において網掛けを施されている領域にある場合、例えば、スイングハンマー６の重心Ｇが図４においてＧ１で示す位置にある場合には、重心Ｇに作用する遠心力Ｆは、スイングハンマー６を矢印ＢＷＤで示す方向に回転させる回転モーメントを発生させる。そのため、スイングハンマー６は、矢印ＢＷＤで示す方向に揺動する。つまり、この場合、スイングハンマー６は後退する。
【００２６】
スイングハンマー６の重心Ｇが、回転軸Ｒと揺動軸Ｒ２を結ぶ直線より下方の領域、つまり、図４において網掛けが施されていない領域にある場合、例えば、スイングハンマー６の重心Ｇが図４においてＧ２で示す位置にある場合には、重心Ｇに作用する遠心力Ｆは、スイングハンマー６を矢印ＦＷＤで示す方向に回転させる回転モーメントを発生させる。そのため、スイングハンマー６は、矢印ＦＷＤで示す方向に揺動する。つまり、この場合、スイングハンマー６は前進する。
【００２７】
スイングハンマー６の後縁６Ｔが後退角度制限器１０に当接する位置にある場合、つまり、スイングハンマー６の重心Ｇが図４においてＧ３で示す位置にある場合には、重心Ｇに作用する遠心力Ｆは、スイングハンマー６を矢印ＦＷＤで示す方向に回転させる回転モーメントを発生させる。そのため、この場合、スイングハンマー６は、矢印ＦＷＤで示す方向に揺動する。つまり、この場合、スイングハンマー６は前進する。
【００２８】
また、前述したように、スイングハンマー６の揺動範囲は、前進角度制限器９と後退角度制限器１０によって制限される。つまり、スイングハンマー６は、前縁６Ｌが前進角度制限器９に当接する位置と、後縁６Ｔが後退角度制限器１０に当接する位置との間で揺動する。そのためスイングハンマー６が、揺動軸Ｒ２を揺動中心にして揺動する場合に、スイングハンマー６の重心Ｇが、回転軸Ｒと揺動軸Ｒ２を結ぶ直線より上方の領域、つまり、図４において網掛けを施された領域に進入することはない。このように、ディスポーザ１は前進角度制限器９と後退角度制限器１０を備えるので、スイングハンマー６の重心Ｇが、遠心力Ｆがスイングハンマー６を回転板４の回転方向に対して逆方向に揺動させる回転モーメントを発生させる領域に進入することがない。
【００２９】
このように、ディスポーザ１においては、回転板４の回転によって生じる遠心力Ｆによって、スイングハンマー６が回転板４の回転方向に対して逆方向に揺動することがない。そのため、回転板４上にある厨芥（図４において図示せず）の回転移動を妨げる方向に、スイングハンマー６が揺動することがないので、ディスポーザ１による厨芥の粉砕能率が低下することがない。
【００３０】
（揺動角度制限器を備えることによって生じる効果）
最後に、ディスポーザ１に揺動角度制限器、つまり前進角度制限器９と後退角度制限器１０を備えることによって生じる具体的な効果を説明する。
【００３１】
（前進角度制限器９）
仮にディスポーザ１が前進角度制限器９を備えないとすれば、スイングハンマー６は、前進角度制限器９が配置される位置を超えて、前進方向に揺動して、図５（Ａ）に示す位置まで移動することができる。この場合に、回転板４が回転すると、スイングハンマー６の重心Ｇに作用する遠心力Ｆによって、スイングハンマー６は、矢印ＢＷＤで示す方向に、つまり、後退方向に揺動する。この時に、スイングハンマー６の後縁６Ｔ側に厨芥１１があると、図５（Ｂ）に示すように、厨芥１１の一方端はスイングハンマー６の切欠部６Ｃの中にめり込み、スイングハンマー６に固定される。厨芥１１の他方端は固定刃３が備える図示しない凹凸面の中にめり込み、固定刃３に固定される。その結果、スイングハンマー６と固定刃３の間に厨芥１１が挟まり、回転板４の回転が停止する。つまり回転板４がロックする。
【００３２】
しかしながら、図５（Ｃ）に示すように、ディスポーザ１は前進角度制限器９を備えているので、スイングハンマー６は、前進角度制限器９を超えて前進方向に、つまり矢印ＦＷＤで示す方向に揺動して、図５（Ａ）に示す位置まで移動することはできない。そのため図５（Ｂ）に示すような現象は生じない。つまり、スイングハンマー６と固定刃３の間に厨芥１１が挟まって、その結果、回転板４がロックすることはない。
【００３３】
（後退角度制限器１０）
仮にディスポーザ１が前進角度制限器９のみを備えて、後退角度制限器１０を備えないとすれば、図６（Ａ）に示すように、スイングハンマー６は後退方向に、つまり矢印ＢＷＤで示す方向に揺動して、スイングハンマー６の後縁６Ｔが前進角度制限器９の背面に当接する位置まで移動することができる。つまり、スイングハンマー６は、図６（Ａ）において実線で描かれた位置まで移動することができる。スイングハンマー６が図６（Ａ）に示すような位置にある場合に、回転板４が回転すると、スイングハンマー６の重心Ｇに遠心力Ｆが作用して、スイングハンマー６を更に後退方向に、つまり矢印ＢＷＤで示す方向に揺動させる回転モーメントが発生するので、スイングハンマー６は前進角度制限器９に押し付けられる。そのため、回転板４は図６（Ａ）に示した状態を保ったまま、回転するので、スイングハンマー６で厨芥１１を固定刃３に押し付けることができない。
【００３４】
しかしながら、図６（Ｂ）に示すように、ディスポーザ１は後退角度制限器１０を備えているので、スイングハンマー６は、後退角度制限器１０を超えて、後退方向に、つまり矢印ＢＷＤで示す方向に揺動することができない。そのため、スイングハンマー６は、図６（Ａ）に示した位置まで移動することができない。その結果、前述したような現象は生じない。また、スイングハンマー６が図６（Ｂ）において実線で描かれた位置にある時に、回転板４が回転すると、スイングハンマー６の重心Ｇに遠心力Ｆが作用して、スイングハンマー６は、前進方向に、つまり矢印ＦＷＤで示す方向に揺動する。
【００３５】
（第１の変形例）
ディスポーザ１は、図７（Ａ）に示すように構成されても良い。すなわち、前進角度制限器９と後退角度制限器１０に加えて、ガードブロック１２を回転板４上に備えるようにしても良い。ガードブロック１２は、回転板４の一部を加工して上方に隆起させて形成された部材である。つまり、ガードブロック１２の上面、つまり、スイングハンマー６が取り付けられている面に突出する部材である。ガードブロック１２は、前進角度制限器９と同様に、スイングハンマー６が図７（Ａ）において実線で描かれた位置にある時に、スイングハンマー６の前縁６Lに対面する位置にあって、スイングハンマー６の基部をカバーするように配置されている。図７（Ａ）に示すように、回転板４上にガードブロック１２を備えれば、異物、例えば鶏骨のような硬い物体がディスポーザ１に投入された時に、その物体がスイングハンマー６の基部に直接衝突することが無いので、鶏骨のような硬い物体との衝突に起因するスイングハンマー６の損傷の発生が抑制される。つまり、スイングハンマー６の基部は、ガードブロック１２によって、鶏骨のような硬い物体に対してガードされる。
【００３６】
なお、前進角度制限器９はスイングハンマー６の揺動を停止するのに必要な最小限の高さを備えていれば良い。具体的には、前進角度制限器９は回転板４から２ｍｍ程度高くなっていれば良い。一方、ガードブロック１２はスイングハンマー６の基部に厨芥が直接衝突しないように、少なくとも、スイングハンマー６の基部の高さの半分程度の高さを必要とする。そのため、図７（Ｂ）に示すように、前進角度制限器９はスイングハンマー６の先端部の高さに比べて低くされる。回転板４上にある図示しない厨芥は、前進角度制限器９を乗り越えてスイングハンマー６に当接し、スイングハンマー６に押し返されて、固定刃３に押し付けられる。ガードブロック１２は、スイングハンマー６の基部とほぼ同じ高さを有しているので、スイングハンマー６の基部は、厨芥の衝突から保護される。
【００３７】
（第２の変形例）
図８（Ａ）に示すように、前進角度制限器９をスイングハンマー６の長さ方向に拡大して、前進角度制限器９がスイングハンマー６の基部をカバーするようにしても良い。前進角度制限器９をこのように構成すれば、前進角度制限器９はガードブロック１２としても機能する。また、図８（Ｂ）に示すように、第２の変形例に係る前進角度制限器９は、スイングハンマー６の基部をカバーする部分は高く、スイングハンマー６の先端部をカバーする部分は低くされている。そのため、スイングハンマー６の基部は、前進角度制限器９によって、厨芥の衝突から保護される。スイングハンマー６の先端部においては、回転板４上にある図示しない厨芥は、前進角度制限器９を乗り越えてスイングハンマー６に当接し、スイングハンマー６に押し返されて、固定刃３に押し付けられる。
【００３８】
（第３の変形例）
上記実施形態においては、後退角度制限器１０をスイングハンマー６の後縁６Ｔに当接させる例を示したが、図９に示すように、後退角度制限器１０が切欠部６Ｃの中で、スイングハンマー６の後縁６Ｔ側の部位に当接するようにしても良い。なお、この場合、後退角度制限器１０の高さは切欠部６Ｃの中に入れるように設定される。
【００３９】
以上説明したように、本実施形態に係るディスポーザ１において、揺動角度制限器によって設定されるスイングハンマー６の揺動範囲を適切に選べば、厨芥の粉砕能率が低下しない範囲でスイングハンマー６を揺動させることができる。その結果、ディスポーザ１における厨芥の粉砕能率が向上する。
【００４０】
スイングハンマー６の重心Ｇが、回転板４の回転によって重心Ｇに作用する遠心力Ｆがスイングハンマー６を後退方向に揺動させる回転モーメントを発生させない領域内で移動するように、スイングハンマー６の揺動範囲を設定すれば、回転板４と共に回転移動する厨芥１１の移動を妨げる方向にスイングハンマー６は移動しない。その結果、ディスポーザ１における厨芥の粉砕能率が向上する。
【００４１】
ディスポーザ１に前進角度制限器９を備えれば、スイングハンマー６が前進角度制限器９を超えて前進方向に揺動して、遠心力Ｆがスイングハンマー６を後退方向に揺動させる回転モーメントを発生させる領域に、スイングハンマー６が移動することがない。そのため、スイングハンマー６の後縁６Ｔ側に厨芥１１が置かれた場合に、厨芥１１がスイングハンマー６と固定刃３の間に挟まれることがない。
【００４２】
前進角度制限器９に加えて、後退角度制限器１０を、揺動角度制限器として備えれば、スイングハンマー６が後退角度制限器１０を超えて後退方向に揺動して、前進角度制限器９の背面に当接する位置まで、移動することがない。そのため、ディスポーザ１の運転中に、スイングハンマー６の先端の固定刃３への接近が妨げられることがない。その結果、ディスポーザ１における厨芥の粉砕能率が向上する。
【００４３】
要するに、本実施形態に係るディスポーザ１によれば、従来品に比べて、厨芥１１の粉砕能率を向上させることができる。ディスポーザ１によれば、従来品に比べて、固定刃３とスイングハンマー６の間に厨芥１１が挟まり難くすることができる。
【００４４】
なお、上記の実施形態は、本発明の具体的実施態様の一例を示すものであって、本発明の技術的範囲を画すものではない。本発明は特許請求の範囲に記述された技術的思想の限りにおいて、自由に変形、応用あるいは改良して実施することができる。
【００４５】
図１に示した、ディスポーザ１の形状と構成は例示である。したがって、本発明の技術的範囲は、図１に示されたディスポーザ１の形状と構成によっては限定されない。
【００４６】
図２に示した、前進角度制限器９と後退角度制限器１０の配置は例示である。したがって、本発明の技術的範囲は、図２に示された前進角度制限器９と後退角度制限器１０の配置によっては限定されない。前進角度制限器９と後退角度制限器１０は、特許請求の範囲に記述された要件を満足する限りにおいて、自由に配置することができる。また、スイングハンマー６の揺動範囲は、図２に示された揺動範囲に対して、拡大又は縮小されても良い。つまり、スイングハンマー６の揺動範囲は、特許請求の範囲に記述された要件を満足する限りにおいて、自由に選択することができる。
【００４７】
前進角度制限器９と後退角度制限器１０の機械的な構成は、限定されない。前進角度制限器９と後退角度制限器１０は回転板４と一体に構成されても良い。例えば、回転板４をプレス加工して、前進角度制限器９と後退角度制限器１０として機能する突起を形成するようにしても良い。あるいは、回転板４とは別途に製造された前進角度制限器９と後退角度制限器１０を回転板４に、溶接やねじ止めによって固定するようにしても良い。また、前進角度制限器９と後退角度制限器１０の形状は任意に選択できる。
【００４８】
ガードブロック１２の機械的な構成も限定されない。ガードブロック１２は、前述したように、回転板４の一部を加工して上方に盛り上げて形成されても良いし、回転板４とは別途に製造された部材を回転板４に、溶接やねじ止めによって固定して構成されても良い。また、ガードブロック１２の形状は任意に選択できる。
【００４９】
図３において、スイングハンマー６が切欠部６Ｃを備える例を示したが、本発明において、切欠部６Ｃは、任意的構成要素である。つまり、本発明の技術的範囲は、スイングハンマー６に切欠部６Ｃを備えるものには限定されない。また、上記実施形態において、回転板４に２本のスイングハンマー６を取り付けた例を示したが、スイングハンマー６の数は２本には限定されない。スイングハンマー６の数は、３本、４本、あるいは更に多数であっても良い。
【符号の説明】
【００５０】
１  ディスポーザ
２  破砕室
３  固定刃
４  回転板
５  電動機
６  スイングハンマー
６Ｂ 底面
６Ｃ 切欠部
６Ｌ 前縁
６Ｔ 後縁
７  排出室
８  排出口
９  前進角度制限器
１０  後退角度制限器
１１  厨芥
１２  ガードブロック
Ｇ（Ｇ１，Ｇ２，Ｇ３）重心
Ｒ  回転軸
Ｒ１，Ｒ２  揺動軸
Ｆ  遠心力
【図１】
2018149487.tif 000003
【図２】
2018149487.tif 000004
【図３】
2018149487.tif 000005
【図４】
2018149487.tif 000006
【図５】
2018149487.tif 000007
【図６】
2018149487.tif 000008
【図７】
2018149487.tif 000009
【図８】
2018149487.tif 000010
【図９】
2018149487.tif 000011